(57)【要約】【課題】天井面に漏れ防止用のボス部が設けられ、密閉性に優れた樹脂製キャップおよびその製法を提供する。【解決手段】全体が射出成形により一体的に形成された樹脂製キャップ３０であって、容器本体の開口に装着される中栓を介して塞ぐための天井部３３と、この天井部３３から垂設され、その内周面にねじ部３６が形成された周壁部３４とを備え、上記天井部３３の、周壁部３４で囲われた円形部分の中心Ｐに、上記中栓の開口に嵌入させるためのボス部５０が設けられており、上記天井部３３の、上記ボス部５０が形成された部分と周壁部３４が形成された部分との間の、上記中心Ｐから外れた位置に、射出成形時のゲート跡５１が設けられている。【選択図】図１
2015147584.tif 000002
【特許請求の範囲】
【請求項１】
全体が射出成形により一体的に形成された樹脂製キャップであって、容器本体の開口を直接もしくは容器本体の開口に装着される中栓を介して塞ぐための天井部と、この天井部から円筒状に垂設され、その内周面に容器本体とねじ係合するためのねじ部が形成された周壁部とを備え、上記天井部の、周壁部で囲われた円形部分の中心Ｐに、容器本体の開口もしくは上記中栓の開口に嵌入させるためのボス部が設けられており、上記天井部の、上記ボス部が形成された部分と周壁部が形成された部分との間の、上記中心Ｐから外れた位置に、射出成形時のゲート跡が設けられていることを特徴とする樹脂製キャップ。
【請求項２】
上記ボス部の直径が１．２〜２．０ｍｍであり、上記ゲート跡が、上記中心Ｐから２．０〜５．０ｍｍ離れた位置に設けられている請求項１記載の樹脂製キャップ。
【請求項３】
容器本体の開口を直接もしくは容器本体の開口に装着される中栓を介して塞ぐための天井部と、この天井部から円筒状に垂設され、その内周面に容器本体とねじ係合するためのねじ部が形成された周壁部とを備え、上記天井部の、周壁部で囲われた円形部分の中心Ｐに、容器本体の開口もしくは上記中栓の開口に嵌入させるためのボス部が設けられた樹脂製キャップを製造する方法であって、上記キャップの外側形状を賦形しうる凹部を有する下型と、上記下型の上に配置され、上記キャップの内側形状を賦形しうる凸部を有しその内側に溶融樹脂供給用のランナーが設けられた上型とを備えた射出成形用金型を準備する工程と、上記金型を閉じ合わせた後、上記上型の賦形用凹部と下型の賦形用凸部とで構成されたキャップ形状賦形用空間内に、上記上型内のランナーを経由して溶融樹脂を供給する工程と、その供給された溶融樹脂を冷却固化した後、上記金型を開いて成形品である樹脂製キャップを取り出す工程とを備え、上記上型として、上記ランナーのうち、溶融樹脂導入用の上端開口から下端近傍までの大部分が垂直方向に一直線に延び、その下の、キャップ形状賦形用空間へのゲートとなる下端開口までの所定部分が、垂直方向から側方に所定角度θだけ屈曲して、上記ランナーの下端開口が、キャップ形状賦形空間を構成する面のうち、天井部の、ボス部が形成される部分と周壁部が形成される部分との間の、上記中心Ｐから外れる位置に配置されたものを用いることを特徴とする樹脂製キャップの製法。
【請求項４】
樹脂製キャップに形成されるボス部の直径が１．２〜２．０ｍｍであり、上記ランナーのうち、屈曲させる部分の長さが２０〜４０ｍｍ、その屈曲角度θが２〜１５°である上型を用いるようにした請求項３記載の樹脂製キャップの製法。
【発明の詳細な説明】
【技術分野】
【０００１】
本発明は、射出成形によって一体的に形成される樹脂製キャップおよびその製法に関するものである。
【背景技術】
【０００２】
化粧水や乳液といった液体化粧料を収容するチューブ状、あるいはボトル状の容器では、これらを携帯する場合に中身である液体が外に漏れることのないように、高い密閉性が要求される。このため、単に容器本体の口部にキャップをねじ係合するだけでなく、キャップ内側に、液漏れ防止のコンタクトリングを設けてこれを容器本体の口部の周囲に押し付けるようにしたものや、容器本体の開口に、ごく小さな開口を設けた中栓を装着して、振ったり押し出したりしないと液体が外に出ないようにしたもの等、様々な構造のものが出回っている。
【０００３】
例えば、後記の特許文献１には、図７（ａ）に示すような容器本体１と樹脂製キャップ３とを備えたチューブタイプの液体容器が記載されている。この容器は、図７（ｂ）に示すように、容器本体１の口部１ａに中栓２を装着し、容器本体１と樹脂製キャップ３とをねじ係合させて、上記中栓２の開口２ａを塞ぐようになっている。そして、上記中栓２の開口２ａの周囲に、環状の突出部４を設けるとともに、樹脂製キャップ３の天井面側に環状部（コンタクトリング）５、６を設け、樹脂製キャップ３を締め込むことによって、上記環状部５、６が、中栓２の突出部４と中栓２の上面を下向きに押圧して、中栓２の開口２ａから側方に液が漏れるのを防止するようになっている。なお、１５はキャップデザイン上設けられる外筒壁、１６は樹脂製キャップ３と容器本体１の周方向の位置がねじ係合時にずれないよう設けられた左右一対のストッパである。
【０００４】
このようなキャップ３を射出成形によって一体的に得る場合、その天面の中心にゲートがくるよう配置して成形を行うことが、成形上理想であるが、化粧料容器のように、その外観に美しさが要求される用途では、キャップ３の天面にゲート跡が残ると、見栄えが悪いため、例えば、図８に示すような金型を用い、キャップ３の内側の、天井面の中心にゲートを配置して成形することが行われている。
【０００５】
図８において、１０は樹脂製キャップ３の外側形状を賦形しうる凹部が設けられた下型であり、１１は、内側と外側の２つの型１１ａ、１１ｂを組み合わせることによってその下部が樹脂製キャップ３の内側形状を賦形しうる凸部となる上型である。
【０００６】
上記上型１１のうち、内側の上型１１ａには、その中心軸に沿って、溶融樹脂２０を供給するためのランナー１２が設けられており、キャップ天井面となる部分の中心に、その下端が開口してゲート１３となっている。なお、この上型１１ａは、成形品が得られた後、周方向に回転しながら上昇し、ねじ部を損なうことなく成形品から外れるようになっている。
【０００７】
このような金型を用いて得られる樹脂製キャップ３には、その天井面の中心に、小さな突出部がゲート跡１４として残る〔図７（ｂ）を参照〕が、内側の目立たないところであり、また容器の密閉性への影響もないことから、通常、あまり問題とならない。しかし、場合によっては、ゲート跡１４が長く延びた状態で残ることがあり、その長く延びたゲート跡１４が、樹脂製キャップ３側の環状部（コンタクトリング）５と中栓２の突出部４との間に挟まって隙間を作り、液漏れの原因となるおそれがある。
【０００８】
また、最近、容器の密閉性をさらに高めた樹脂製キャップとして、例えば図９、図１０に示すような構成のキャップ３′が提案されている（下記の特許文献２を参照）。このキャップ３′は、その天井面の中心に、中栓２の開口２ａ内に嵌入されるボス部２１が突設され、その周囲に、中栓２の開口縁部をガイドするためのガイドリング２２が設けられた構造になっている。
【先行技術文献】
【特許文献】
【０００９】
【特許文献１】特許第３３３０２１９号公報
【特許文献２】実用新案登録第２５４９０８０号公報
【発明の概要】
【発明が解決しようとする課題】
【００１０】
上記キャップ３′を、図８に示す場合と同様、上型１１ａの中心軸を通って垂直に延びるランナー１２を経由する金型で射出成形すると、ボス部２１の頂面にゲート跡１４が残ることになるため、図１０において鎖線で示すようにゲート跡１４が長く延びた状態で残ると、ボス部２１が中栓２の開口２ａにうまく嵌入できなかったり、嵌合がずれて隙間があいたり、さらには中栓２の開口縁部を傷つけたりするため、せっかくボス部２１を設けても、やはり液漏れが生じるおそれがある。
【００１１】
そこで、金型において、ゲート１３をより細くしてゲート跡１４が残りにくいようにしたり、ゲート１３を、キャップ３′の下端面Ｑや側面Ｒに配置してボス部２１と重ならないようにしたりすることが考えられるが、ゲート１３を細くすると、溶融樹脂の流入速度が遅くなり、賦形空間内での流れが不均一になって成形品の外観を損なうという問題を生じやすい。また、ゲート１３の配置をキャップ３′の下端面Ｑや側面Ｒに変えると、ゲート跡１４がキャップ３′の外側に付いて目立つだけでなく、溶融樹脂の流れが偏り、ヒケ等が生じて外観が悪くなる。
【００１２】
本発明は、このような事情に鑑みなされたもので、キャップの天井面にボス部を有し、密閉性に優れ、しかも外観が良好な樹脂製キャップおよびその製法の提供をその目的とする。
【課題を解決するための手段】
【００１３】
上記の目的を達成するため、本発明は、全体が射出成形により一体的に形成された樹脂製キャップであって、容器本体の開口を直接もしくは容器本体の開口に装着される中栓を介して塞ぐための天井部と、この天井部から円筒状に垂設され、その内周面に容器本体とねじ係合するためのねじ部が形成された周壁部とを備え、上記天井部の、周壁部で囲われた円形部分の中心Ｐに、容器本体の開口もしくは上記中栓の開口に嵌入させるためのボス部が設けられており、上記天井部の、上記ボス部が形成された部分と周壁部が形成された部分との間の、上記中心Ｐから外れた位置に、射出成形時のゲート跡が設けられている樹脂製キャップを第１の要旨とする。
【００１４】
また、本発明は、そのなかでも、特に、上記ボス部の直径が１．２〜２．０ｍｍであり、上記ゲート跡が、上記中心Ｐから２．０〜５．０ｍｍ離れた位置に設けられている樹脂製キャップを第２の要旨とする。
【００１５】
さらに、本発明は、上記第１の要旨である樹脂製キャップの製法であって、上記キャップの外側形状を賦形しうる凹部を有する下型と、上記下型の上に配置され、上記キャップの内側形状を賦形しうる凸部を有しその内側に溶融樹脂供給用のランナーが設けられた上型とを備えた射出成形用金型を準備する工程と、上記金型を閉じ合わせた後、上記上型の賦形用凹部と下型の賦形用凸部とで構成されたキャップ形状賦形用空間内に、上記上型内のランナーを経由して溶融樹脂を供給する工程と、その供給された溶融樹脂を冷却固化した後、上記金型を開いて成形品である樹脂製キャップを取り出す工程とを備え、上記上型として、上記ランナーのうち、溶融樹脂導入用の上端開口から下端近傍までの大部分が垂直方向に一直線に延び、その下の、キャップ形状賦形用空間へのゲートとなる下端開口までの所定部分が、垂直方向から側方に所定角度θだけ屈曲して、上記ランナーの下端開口が、キャップ形状賦形空間を構成する面のうち、天井部の、ボス部が形成される部分と周壁部が形成される部分との間の、上記中心Ｐから外れる位置に配置されたものを用いる樹脂製キャップの製法を第３の要旨とする。
【００１６】
そして、本発明は、そのなかでも、特に、樹脂製キャップに形成されるボス部の直径が
１．２〜２．０ｍｍであり、上記ランナーのうち、屈曲させる部分の長さが２０〜４０ｍｍ、その屈曲角度θが２〜１５°である上型を用いるようにした樹脂製キャップの製法を第４の要旨とする。
【発明の効果】
【００１７】
すなわち、本発明の樹脂製キャップは、容器本体とのねじ係合用のねじ部が形成された円筒状の周壁部とともに、容器の密閉性を高めるためのボス部がその周壁部内側の中心Ｐに設けられた構成において、射出成形によって必然的に残るゲート跡が、上記ボス部と重なる位置ではなく、上記ボス部と周壁部との間の、中心Ｐから外れた位置に設けられたものである。この構成によれば、従来と同様、ゲート跡がキャップ外側から見えず、外観が損なわれることがない。しかも、ボス部とずれた位置にゲート跡が形成されるため、ボス部と容器本体や中栓との嵌合が妨げられることがなく、容器の良好な密閉性を確保することができる。
【００１８】
そして、本発明の樹脂製キャップの製法によれば、ゲート跡のことを気にする必要がなく、ゲート開口を比較的大きく設定することができるため、射出成形時に、溶融樹脂を、スムーズにキャップ形状賦形空間内に充満させることができる。したがって、ゲートを、キャップ形状の中心から多少外れた位置に配置させても、溶融樹脂の流れが偏らず、美麗な外観の樹脂製キャップを得ることができる。しかも、この製法を実施するにあたっては、従来の金型において、ランナーがその中心軸方向に垂直に形成された上型部（いわゆる「ランナーブッシュ」）の下側の一部を、ランナーが垂直方向から側方に所定角度だけ屈曲したものに交換するだけでよいため、設備コストの負担が小さいという利点を有する。
【００１９】
なお、本発明の樹脂製キャップのなかでも、特に、上記ボス部の直径が１．２〜２．０ｍｍであり、上記ゲート跡が、上記中心Ｐから２．０〜５．０ｍｍ離れた位置に設けられているものは、とりわけ、これを用いた容器の密閉性が良好となり、しかも美麗な外観を有するものとなって、好適である。
【００２０】
そして、本発明の樹脂製キャップの製法のなかでも、特に、樹脂製キャップに形成されるボス部の直径が１．２〜２．０ｍｍであり、上記ランナーのうち、屈曲させる部分の長さが２０〜４０ｍｍ、その屈曲角度θが２〜１５°である上型を用いるようにしたものは、とりわけ、成形品の脱型が容易で、しかも優れた品質の樹脂製キャップを提供することができ、好適である。
【図面の簡単な説明】
【００２１】
【図１】本発明の一実施の形態である樹脂製キャップの部分的な拡大断面図である。
【図２】上記樹脂製キャップの底面図である。
【図３】上記樹脂製キャップをブローボトル容器に用いた状態を示す斜視図である。
【図４】（ａ）、（ｂ）は、ともに上記樹脂製キャップの製造工程の説明図である。
【図５】上記樹脂製キャップの使用形態を示す部分的な拡大断面図である。
【図６】本発明の他の実施の形態である樹脂製キャップの使用形態を示す部分的な拡大断面図である。
【図７】（ａ）は従来のチューブタイプの容器の一例を示す外観図、（ｂ）は上記容器に用いられる樹脂製キャップの拡大断面図である。
【図８】上記樹脂製キャップの製造工程の説明図である。
【図９】従来の、他の樹脂製キャップの拡大断面図である。
【図１０】上記樹脂製キャップの問題点の説明図である。
【発明を実施するための形態】
【００２２】
つぎに、本発明を実施するための形態について説明する。ただし、本発明は、以下の実施の形態に限定されるものではない。
【００２３】
図１は、本発明の一実施の形態である樹脂製キャップ３０を示す部分的な拡大断面図である。また、図５は、この樹脂製キャップ３０を容器本体３１に取り付けた状態を示す部分的な拡大断面図である。上記樹脂製キャップ３０は、全体が射出成形により一体的に形成されたもので、容器本体３１（図５参照）の開口３１ａを、この開口３１ａに装着される中栓３２を介して塞ぐための天井部３３と、この天井部３３の下面から円筒状に垂設される周壁部３４とを備えている。そして、上記周壁部３４の内周面には、上記容器本体３１の口部３５とねじ係合するためのねじ部３６が形成されている。
【００２４】
なお、上記天井部３３は、図１の底面図である図２に示すように、左右方向に延びる略楕円形状をしており、その周縁端から筒状に、外筒壁３７が垂設されている。これは、この樹脂製キャップ３０を適用する容器本体３１が、図３に示すように、断面略楕円形状のやや平たい形状になっているため、樹脂製キャップ３０の外形を、これに合わせたものである。
【００２５】
そして、樹脂製キャップ３０と容器本体３１が、このように断面略楕円形の特殊な形状になっているため、互いをねじ係合したとき、両者の周方向の位置が互いにずれると見栄えが悪くなることから、そのようなずれが生じないように、樹脂製キャップ３０の周壁部３４の下端部の二個所に、位置決め用のストッパ４０が設けられている。さらに、上記ストッパ４０と周壁部３４とが、外筒壁３７の回動によるキャップ開閉動作時に無理な力を受けやすいため、その補強のためのリブ板４１が４枚、上記周壁部３４と外筒壁３７との隙間を仕切るように設けられている。なお、容器本体３１側には、図５に示すように、上記ストッパ４０の当たりとなる突起４３が、上記ストッパ４０に対応する二個所に設けられている。
【００２６】
また、上記天井部３３（図１に戻る）の下面の、上記周壁部３４で囲われた円形部分の中心Ｐに、容器密閉用のボス部５０（直径１．３ｍｍ、突出高さ０．６ｍｍ）が突設されている。このボス部５０は、図５に示すように、容器本体３１に装着される中栓３２の開口３２ａに嵌入されて、中身に対する密閉作用を果たすようになっている。そして、同じく上記天井部３３の下面の、上記ボス部５０が形成された部分と周壁部３４が形成された部分との間に、この樹脂製キャップ３０を射出成形したときのゲート跡５１が突起として設けられている。このゲート跡５１の位置は、樹脂製キャップ３０の中心Ｐから２．９ｍｍ離れている。なお、上記ボス部５０の近傍に、ボス部５０と同心状にコンタクトリング５２が突設されている。このコンタクトリング５２は、必ずしも設けなくてよいが、容器本体３１に装着される中栓３２の開口縁部に当接して、この部分からの液漏れを、さらに厳重に防止する作用を果たしている。
【００２７】
この樹脂製キャップ３０によれば、射出成形によって必然的に残るゲート跡５１が、天井部３３の中心Ｐに突設されたボス部５０と重なる位置ではなく、ボス部５０と周壁部３４との間の、中心Ｐから外れた位置に設けられているため、ゲート跡５１がキャップ外側から見えず、外観が損なわれることがない。そして、この樹脂製キャップ３０を容器本体３１とねじ係合させ、上記ボス部５０を中栓３２の開口３２ａに嵌入させる際、上記ゲート跡５１がその妨げになることがないため、容器の密閉性を、高い信頼性で確保することができる。
【００２８】
上記樹脂製キャップ３０は、例えばつぎのようにして製造することができる。すなわち、まず、図４（ａ）に部分的に示すように、上記樹脂製キャップ３０の外側形状を賦形しうる凹部を有する下型６０と、上記下型６０の上に配置され、上記樹脂製キャップ３０の内側形状を賦形しうる凸部を有する上型６１とを備えた金型を準備する。
【００２９】
上記上型６１は、その内側に、溶融樹脂の供給路となるランナー７０が形成されたランナーブッシュ６１ａと、その外側に設けられ上記ランナーブッシュ６１ａを回転自在に支受する外筒体６１ｂとを組み合わせた構成になっている。
【００３０】
上記ランナーブッシュ６１ａに形成されたランナー７０は、溶融樹脂導入用の上端開口（図示せず）から下端近傍までの大部分７０ａが、ランナーブッシュ６１ａの中心軸に沿う垂直方向に一直線に延びており、その下の、キャップ形状賦形用空間Ｔへのゲート７１となる下端開口までの所定部分７０ｂが、垂直方向から側方に所定角度θだけ屈曲して形成されている。したがって、ゲート７１は、樹脂製キャップ３０（図１参照）の天井部３３の、ボス部５０が形成される部分と周壁部３４が形成される部分との間の、中心Ｐ（図１を参照）から外れた位置に配置されることになる。
【００３１】
なお、上記ランナー７０の屈曲部７０ｂは、加工上の理由から、円柱状の別部材７３に形成されており、この別部材７３が、ランナーブッシュ６１ａの下端面に設けられた穴７２内に挿入され固定されている。
【００３２】
上記金型を閉じ合わせた後、この金型に接続される射出装置（図示せず）から樹脂製キャップ３０の成形材料である溶融樹脂を、上記ランナー７０に供給し、上記ゲート７１を経由させて、キャップ形状賦形用空間Ｔ内に充満させる。そして、上記溶融樹脂を冷却固化した後、金型を開く。
【００３３】
このとき、金型を開くと同時に、ランナーブッシュ６１ａを下向きに押圧していた力が解除されるため、ライナー７０内で固化した樹脂が引き上げられ、図４（ｂ）に示すように、固化した樹脂がゲート７１から外れて多少浮き上がった状態になる。この状態で、ランナーブッシュ６１ａを、成形された樹脂製キャップ３０のねじ部３６からねじ係合が外れるよう周方向に回転させながら引き上げることにより、まずランナーブッシュ６１ａを外すことができる。なお、ランナー７０内で固化した樹脂のうち下端の屈曲部７０ｂで固化したものは、ランナーブッシュ６１ａの回転軸に対し傾いているが、固化した部分が細い紐状であり、可撓性を有しているため、上記ランナーブッシュ６１ａの回転動作を妨げることがない。
【００３４】
つぎに、上記上型６１の外筒体６１ｂと、下型６０との間を開き、外筒体６１ｂと成形品である樹脂製キャップ３０とを、下型６０から外した後、突き出しピン（図示せず）によって樹脂製キャップ３０を外筒体６１ｂから外す。このようにして、目的とする樹脂製キャップ３０を得ることができる。
【００３５】
上記の製法によれば、樹脂製キャップ３０に残るゲート跡５１（図１参照）がキャップ内側であって容器の密閉性にも影響を与えない場所に形成されることから、ゲート７１の開口を比較的大きく設定することができ、射出成形時に、溶融樹脂をスムーズにキャップ形状賦形空間Ｔ内に充満させることができる。したがって、ゲート７１の配置が、キャップ形状の中心Ｐから多少外れていても、溶融樹脂の流れが偏らず、美麗な外観の樹脂製キャップ３０を得ることができる。しかも、この製法を実施するにあたっては、従来の金型において、ランナー７０が垂直方向に延びるランナーブッシュ６１ａの下側の一部を、ランナー７０が垂直方向から側方に所定角度だけ屈曲したもの（７０ｂで示す部分）に交換するだけでよいため、設備コストの負担が小さいという利点を有する。
【００３６】
なお、樹脂製キャップ３０の天井部３３に形成されるボス部５０の直径は、上記の例に限らず、これを嵌入する相手である中栓３２の開口３２ａに応じて、適宜に設定されるが、本発明では、ゲート７１の配置も考慮して、通常、１．２〜２．０ｍｍ程度に設定することが好適である。すなわち、ボス部５０の直径が小さすぎると、必然的に容器本体３１側の中栓３２の開口３２ａが小さくなり、中身を取り出す際の作業性が悪くなるおそれがある。また、ボス部５０の直径が大きすぎると、ゲート７１が樹脂製キャップ３０の中心Ｐから離れることになり、溶融樹脂が均等に流れにくくなったり、ランナーブッシュ６１ａを回転して成形品から外す際、ランナー７０の屈曲部７０ｂの屈曲角度θが大きくなりすぎてランナーブッシュ６１ａの回転の妨げとなったりするおそれがあるからである。
【００３７】
上記と同様の理由から、ゲート７１は、上記ボス部５０の形成部分より外側であって、しかも樹脂製キャップ３０の中心Ｐから外れすぎないことが望ましく、例えば、中心Ｐから２．０〜５．０ｍｍ、なかでも３．０〜４．０ｍｍ離れた位置に配置することが好適である。
【００３８】
また、ランナー７０の屈曲部７０ｂの屈曲角度θが大きくなりすぎてランナーブッシュ６１ａの回転の妨げとならないよう、屈曲部７０ｂの長さ〔図４（ｂ）においてＬで示す〕は、２０〜４０ｍｍに設定することが好適であり、またその屈曲角度θは、２〜１５°、なかでも５〜１０°に設定することが好適である。
【００３９】
さらに、図６は、本発明の他の実施の形態である樹脂製キャップ３０′を示している。この例では、樹脂製キャップ３０′の天井部３３において、ボス部５０とコンタクトリング５２が設けられた外側に、さらに環状のガイドリング８０を設けたものである。このガイドリング８０は、樹脂製キャップ３０′を閉める際、中栓３２にボス部５０が接触して傷つかないよう、樹脂製キャップ３０のボス部５０を、中栓３２の開口３２ａの真上にセンタリングするためのガイドとして設けられている。このようなガイドリング８０を設ける場合、ゲート跡５１′を形成する位置は、図示のように、ガイドリング８０の外側となるよう配置することが望ましい。それ以外の構成は、図５と同様であり、同一部分に同一番号を付してその説明を省略する。ただし、どうしても、ガイドリング８０の外側にゲート跡５１′を形成するのが困難な場合は、上記ガイドリング８０の頂面にゲート跡５１′を設けるようにしても差し支えはない。
【００４０】
なお、図１、図６に示す樹脂製キャップ３０、３０′は、いずれも中栓３２を用いた容器に適用するものであるが、中栓３２を用いない容器、すなわち容器本体３１の口部３５が中栓３２のように先細りになっており、樹脂製キャップ３０、３０′のボス部５０と直接嵌合する構造になっている容器にも、適用することができる。
【００４１】
また、本発明の樹脂製キャップは、密閉性が要求され、そのために容器本体３１もしくは中栓３２の開口３１ａ、３２ａに嵌入されるボス部５０を備えたものであれば、どのような容器に用いるものであっても差し支えないが、頻繁に携帯され、しかも外観の美しさが要求される化粧料容器に用いることが最適である。
【００４２】
さらに、本発明の樹脂製キャップは、単体で用いられるものに限らず、例えば、他の、１個もしくは複数個のキャップ部材と組み合わせることにより、複数部材からなるキャップとなり、その組み合わせ品の形で容器本体に取り付けられるものであってもよい。したがって、本発明において「キャップ」とは、最終的な完成品だけでなく、他のキャップ部材との組み合わせによってキャップとなる、「キャップ部材」も含む趣旨である。
【産業上の利用可能性】
【００４３】
本発明は、射出成形によって一体的に形成され、中身に対する密閉性に優れるとともに、美麗な外観を有する樹脂製キャップと、その製法に利用することができる。
【符号の説明】
【００４４】
３０  樹脂製キャップ
３３  天井部
３４  周壁部
３６  ねじ部
５０  ボス部
５１  ゲート跡
Ｐ  中心
【図１】
2015147584.tif 000003
【図２】
2015147584.tif 000004
【図３】
2015147584.tif 000005
【図４】
2015147584.tif 000006
【図５】
2015147584.tif 000007
【図６】
2015147584.tif 000008
【図７】
2015147584.tif 000009
【図８】
2015147584.tif 000010
【図９】
2015147584.tif 000011
【図１０】
2015147584.tif 000012